(57)【要約】【課題】クッション材の中央部側に窪みや、凹部を設けることにより、人がその上に座ったときに、クッションの中央部が盛り上がって圧迫感を与える等々の問題を解決し、また、通気性を良くすることができるだけでなく、形が崩れ難い適度の強度を有し、使用者の要求に応じた適切な固さ、反発力、弾性を発揮できるクッションを提供する。【解決手段】中央部側に三角形状の透孔を有する合成樹脂製のフィルムの上下面に、中央部側に前記フィルムの中央部側に設けられている三角形状の透孔に対応する大きさ、形状の透孔を有するクッション材がそれぞれ積層されているクッション。【選択図】図１
2007117696.tif 000002
【特許請求の範囲】
【請求項１】
中央部側に三角形状の透孔を有する合成樹脂製のフィルムの上下面に、中央部側に前記フィルムの中央部側に設けられている三角形状の透孔に対応する大きさ、形状の透孔を有するクッション材がそれぞれ積層されてなるクッション。
【請求項２】
フィルムの上下面にそれぞれ積層されているクッション材は硬さが異なることを特徴とする請求項１記載のクッション。
【発明の詳細な説明】
【技術分野】
【０００１】  この発明は、クッションに関し、特に、人がその上に座る場合の座り易さや、通気性などを考慮して、中央部側に窪みや、凹部があるにもかかわらず、形が崩れにくく、更に、使用者の要求に応じた適切な固さ、反発力、弾性を発揮できるクッションに関する。
【背景技術】
【０００２】  従来からクッション体の中央部側（例えば、平面視で円盤状形のクッション体の中央部や、その近傍、平面視で方形のクッション体の中央部や、その近傍、平面視で方形のクッション体の着座した人の尻部が当接する位置や、その近傍、など）に窪みや、凹部を設けることにより、人がその上に座ったときに、クッションの中央部が盛り上がって圧迫感を与える等々の問題を解決したり、通気性を良くすること等々を目的として、クッション体の中央部側に種々の形状の窪みや、凹部を設ける提案がされている。
例えば、特許文献１記載の発明には、平面視で方形のクッション体の中央部側に凹部を設け、その凹部の形状を、当該クッション体の上に座る人のヒップポイントの位置より前方に略９０°以内の角度でＶ字状に広がるＶ字状部とその先端側の円弧状部とからで形成する提案がされている。
【特許文献１】  特開２００１−２０４５７５号公報
【発明の開示】
【発明が解決しようとする課題】
【０００３】  前記の特許文献１記載のクッション等は、クッション材の中央部側に窪みや、凹部を設けることにより、人がその上に座ったときに、クッションの中央部が盛り上がって圧迫感を与える等々の問題を解決し、また、通気性を良くすること等々には効果を発揮しえるものではあったが、１枚のクッション材の中央部側に窪みや、凹部を設けるものでしかなかったため、形が崩れやすく、強度の点で問題があった。また、１枚のクッション材で形成されているので、使用者の要求に応じた適切な固さ、反発力、弾性を発揮できるクッションを提供することは難しかった。【０００４】  この発明は、前述した従来の問題点に鑑みてなされたものであって、クッション材の中央部側に窪みや、凹部を設けることにより、人がその上に座ったときに、クッションの中央部が盛り上がって圧迫感を与える等々の問題を解決し、また、通気性を良くすることができるだけでなく、形が崩れ難い適度の強度を有し、使用者の要求に応じた適切な固さ、反発力、弾性を発揮できるクッションを提供することを目的にしている。
【課題を解決するための手段】
【０００５】  前記目的を達成するため、この発明が提供するクッションは、中央部側（例えば、平面視で方形のクッション体の中央部や、その近傍、平面視で方形のクッション体の着座した人の尻部が当接する位置や、その近傍、など）に三角形状の透孔を有する合成樹脂製のフィルムの上下面に、中央部側に前記フィルムの中央部側に設けられている三角形状の透孔に対応する大きさ、形状の透孔を有するクッション材がそれぞれ積層されているものである。【０００６】  前記のような本発明のクッションによれば、合成樹脂製のフィルムの上下面にクッション材（例えば、ポリウレタン発泡体や、発泡ゴム、シリコーンゴム、スポンジ材など）が積層されているので、前述したようなクッション材単独でクッションが形成されている場合に比較して、中央部側に三角形上の透孔が設けられているにもかかわらず、形が崩れにくく、適度の強度を有するものとなる。【０００７】  また、中央部側に三角形の透孔が上下方向に形成されているので、例えば、本発明の前述したクッションが、上に人が座る座用クッションとして使用され、上に人が座った場合であっても、前記の透孔が存在することによって形成されている空間部により通気性が確保され、更に、クッションの中央部が盛り上がって、座っている人の太ももなどを圧迫して、着座時に不快感を与えるようなおそれがなくなる。そこで、本発明のクッションは、障害者用の座用クッションに適している。【０００８】  更に、本発明の前述したクッションが、上に人が座る座用クッションとして使用される場合であっても、上に座る人の体型などに合わせて、中央部側に形成する三角形の頂点が向く方向を適宜調節して本発明のクッションを準備することにより、体型に差に対応することができる。【０００９】  前記本発明のクッションにおいて、フィルムの上下面にそれぞれ積層されているクッション材は硬さが異なる（例えば、アスカーＣ型スポンジ硬度計によって測定した硬さが異なる）ものとすることができる。
例えば、合成樹脂製のフィルムの下側面に積層されるクッション材を発泡ゴム製とし、合成樹脂製フィルムの上側面に積層されるクッション材をスポンジ材製とする等、上下に積層されるクッション材の材質を互いに異ならせたり、上下に積層されるクッション材の材質を同一のものとしながら互いの厚みを異ならせる、等によって、合成樹脂製フィルムの上下に積層されるクッション材の硬度を適宜調節し、使用者の要求に応じた適切な固さ、反発力、弾性を発揮できるクッションを提供することができる
【発明の効果】
【００１０】  この発明によれば、クッション材の中央部側に窪みや、凹部を設けることにより、人がその上に座ったときに、クッションの中央部が盛り上がって圧迫感を与える等々の問題を解決し、また、通気性を良くすることができるだけでなく、形が崩れ難い適度の強度を有し、使用者の要求に応じた適切な固さ、反発力、弾性を発揮できるクッションを提供することができる。
そこで、この発明のクッションは、上に人が座る座用クッションや、自動車などの乗り物の座席に座っているときの首用クッションなど、種々の用途に使用することができる。
また、簡単に製造し、低価格で提供することができる。
【発明を実施するための最良の形態】
【００１１】  以下、添付図面を参照して本発明の好ましい実施形態を説明する。【００１２】  図１は本発明のクッションの一例を説明する斜視図であり、図２は、図１に例示されている本発明のクッションの構造を説明する分解斜視図である。【００１３】  すなわち、図１に例示されている本発明のクッション１は、平面視で矩形の合成樹脂製のフィルム３の上下面に、平面視で矩形のクッション材４、２が、接着剤等を用いて接合することにより、それぞれ積層されているものである。【００１４】  クッション材４、２は、それぞれ異なる材質のものを用いたり、あるいは、同一の材質を使用しながらそれぞれの厚みを異ならせる等々によって、それぞれの硬さ、例えば、アスカーＣ型スポンジ硬度計によって測定した硬さを異ならせることができる。
これによって、椅子などの座席の上に本発明のクッション１を配置してその上に座る場合、木製の椅子、コンクリート構造物の椅子、等の上に本発明のクッション１を配置してその上に座る場合、等々に応じて、クッション材４、２の硬度を、適宜、異ならせたり、使用者の要求に応じた適切な固さ、反発力、弾性を発揮できるクッション１とすることができる。【００１５】  合成樹脂製のフィルム３は、図２図示のように、中央部に三角形状の透孔５ｂを備えており、フィルム３の上下に積層されるクッション材４、２も、中央部にフィルム３の中央部に設けられている三角形状の透孔５ｂに対応する大きさ、形状（すなわち、三角形状）の透孔５ｃ、５ａをそれぞれ備えている。そこで、図１図示のように、クッション材２、フィルム３、クッション材４が積層されて本発明のクッション１が形成されると、中央部に三角柱状の透孔５が形成されるようになる。【００１６】  本発明のクッション１は、このように、中央部に三角形の透孔５が上下方向に形成されているので、例えば、上に人が座る座用クッションとして使用され、上に人が座った場合であっても、透孔５が存在することによって形成されている空間部（図３（ａ）図示）により通気性が確保され、更に、図３（ａ）図示のように、クッション１の中央部が盛り上がって、座っている人の太もも７ａ、７ｂなどを圧迫して、着座時に不快感を与えるようなおそれがなくなる。【００１７】  なお、図示の実施形態では、方形形状のクッション１の中央部に透孔５が形成されている例を説明しているが、このクッション１が、上に人が座る座用クッションとして使用される場合、上に座る人の体型などに合わせて、中央部側に形成される三角形状の透孔５の頂点が向く方向を適宜調節したり、三角形状の透孔５が形成される位置を適宜変更することにより、体型に差に対応することができる。【００１８】  本発明のクッション１は、合成樹脂製のフィルム３の上下面にクッション材が積層されているので、中央部に三角形上の透孔５が設けられているにもかかわらず、形が崩れにくく、適度の強度を有するものになる。
【図面の簡単な説明】
【００１９】
【図１】  本発明のクッションの好ましい一例を説明する斜視図。
【図２】  図１図示のクッションの分解斜視図。
【図３】  図１図示のクッションの上側に人が座っている状態を説明する断面図で、（ａ）は図１中、Ａ−Ａ線断面図、（ｂ）は図１中、Ｂ−Ｂ線断面図。
【符号の説明】
１                クッション
３                合成樹脂製のフィルム
２、４            クッション材
５ａ、５ｂ、５ｃ  三角形状の透孔
５                三角柱状の透孔
７ａ、７ｂ        座っている人の太もも
【図１】
2007117696.tif 000003
【図２】
2007117696.tif 000004
【図３】
2007117696.tif 000005